(57)【要約】【課題】  その上面における雨水等の表面水の排水効率に優れた排水用構造物の水抜孔を提供する。【解決手段】  暗渠型や門型ブロック、蓋類等にあって、その下位に設けられる水路４に臨む横架部材６の上面６ａと上記水路４を連通すべく上記横架部材６に穿設する水抜孔５であって、水路４の横断方向に傾斜面となされた横架部材６の上面６ａの最低部近傍に穿設される細長状孔５ａに交差するとともに、その長手方向の異なる位置又は同一位置で、上記細長状孔５ａを挟んだ反対側に夫々細長状孔５ａ′を連通形成してなる。【選択図】  図２
2007092505.tif 000002
【特許請求の範囲】
【請求項１】
暗渠型や門型ブロック、蓋類等にあって、その下位に設けられる水路（４）に臨む横架部材（６）の上面（６ａ）と上記水路（４）を連通すべく上記横架部材（６）に穿設される水抜孔であって、水路（４）の横断方向に傾斜面となされた横架部材（６）の上面（６ａ）の最低部近傍に穿設される細長状孔（５ａ）に交差するとともに、その長手方向の異なる位置又は同一位置で、上記細長状孔（５ａ）を挟んだ反対側に夫々細長状孔（５ａ’）を連通形成してなる排水用構造物の水抜孔。
【請求項２】
暗渠型や門型ブロック、蓋類等にあって、その下位に設けられる水路（４）に臨む横架部材（６）の上面（６ａ）と上記水路（４）を連通すべく上記横架部材（６）に穿設される水抜孔であって、水路（４）の横断方向に傾斜面となされた横架部材（６）の上面（６ａ）の最低部近傍に穿設される細長状孔（５ａ）の少なくとも一端に、２個の細長状孔（５ａ’）をほぼく字状又はほぼ逆く字状にして連通形成してなる排水用構造物の水抜孔。
【請求項３】
一方の細長状孔（５ａ）の一部及び／又は他方の細長状孔（５ａ’）の全部又は一部が上面（６ａ）から凹陥して閉塞されることで、その閉塞部上側が細長状孔（５ａ），（５ａ’）の長さ方向に沿う溝部（５ｂ）となされた請求項１又は２記載の排水用構造物の水抜孔。
【請求項４】
一方の細長状孔（５ａ）及び／又は他方の細長状孔（５ａ’）の上端縁の一部又は全体が段状をなすべく、上面（６ａ）から凹陥する凹段部（５ｆ）がその上端外側に連設されてなる請求項１乃至３の何れかに記載の排水用構造物の水抜孔。
【発明の詳細な説明】
【技術分野】
【０００１】  本発明は、排水用構造物の水抜孔に関し、詳しくは舗装路面や広場、その他各種場所における雨水等の表面水を排水するための暗渠型や門型ブロック、蓋類等の排水用構造物の水抜孔に関するものである。
【背景技術】
【０００２】  従来、例えば舗装路面等における雨水等の表面水を排水するために道路等の地表面に埋設施工される排水用ブロックとして、内部に長手方向に沿う水路を有するブロック本体の上面が長手方向と直交する幅方向の断面Ｖ形溝状となされ、前記上面のほぼ中央部（最低部）に長手方向と直交する細長状の水抜孔が長手方向に間隔をあけて複数設けられ、前記Ｖ形溝状をなす上面により、路面上等から流入する雨水等の表面水が集水されて水抜孔を介して下部の水路に流下、排水されるものがある。
【特許文献１】  実開平５−１６８８６号公報
【発明の開示】
【発明が解決しようとする課題】
【０００３】  しかしながら、かかる従来の排水用ブロックの水抜孔は、単に水路の縦断方向と直交する細長状孔となされているだけであるため、排水用ブロックがその上面を長手方向（水路の縦断方向）に勾配を付して施工され、路面上等から流入して上面を長手方向に沿って流下する雨水等の表面水の排水に対して水抜孔が有効に作用するものの、長手方向と直交若しくは適宜角度をなして路面上等から斜めにＶ形溝状の上面に流入する表面水等の排水に対しては水抜孔が必ずしも前記程有効に作用せず、流入した表面水等が上面を横断して反対側に越流する等、速やかな排水が行い難く、又、増水時には排水効率が不十分となって上面に表面水が滞りやすいといった問題点があった。
本発明はかかる従来の問題点に鑑みてなされたものであって、その上面における雨水等の表面水の排水効率に優れた排水用構造物の水抜孔を提供することを課題としている。
【課題を解決するための手段】
【０００４】  上記課題を解決するため、本発明の排水用構造物の水抜孔は、請求項１に記載の如く、暗渠型や門型ブロック、蓋類等にあって、その下位に設けられる水路４に臨む横架部材６の上面６ａと上記水路４を連通すべく上記横架部材６に穿設される水抜孔であって、水路４の横断方向に傾斜面となされた横架部材６の上面６ａの最低部近傍に穿設される細長状孔５ａに交差するとともに、その長手方向の異なる位置又は同一位置で、上記細長状孔５ａを挟んだ反対側に夫々細長状孔５ａ′を連通形成してなるものである。【０００５】  又、本発明の排水用構造物の水抜孔は、請求項２に記載の如く、暗渠型や門型ブロック、蓋類等にあって、その下位に設けられる水路４に臨む横架部材６の上面６ａと上記水路４を連通すべく上記横架部材６に穿設される水抜孔であって、水路４の横断方向に傾斜面となされた横架部材６の上面６ａの最低部近傍に穿設される細長状孔５ａの少なくとも一端に、２個の細長状孔５ａ′をほぼく字状又はほぼ逆く字状にして連通形成してなるものである。【０００６】  又、本発明の排水用構造物の水抜孔は、請求項３に記載の如く、上記請求項１又は２に記載の排水用構造物の水抜孔において、一方の細長状孔５ａの一部及び／又は他方の細長状孔５ａ′の全部又は一部が上面６ａから凹陥して閉塞されることで、その閉塞部上側が細長状孔５ａ，５ａ′の長さ方向に沿う溝部５ｂとなされた構成を採用することができる。【０００７】  又、本発明の排水用構造物の水抜孔は、請求項４に記載の如く、上記請求項１乃至３の何れかに記載の排水用構造物の水抜孔において、一方の細長状孔５ａ及び／又は他方の細長状孔５ａ′の上端縁の一部又は全体が段状をなすべく、上面６ａから凹陥する凹段部５ｆがその上端外側に連設されてなる構成を採用することができる。
【発明の効果】
【０００８】  本発明の排水用構造物の水抜孔は、水路の横断方向に傾斜面となされた横架部材の上面の最低部近傍に穿設される細長状孔に交差するとともに、その長手方向の異なる位置又は同一位置で、上記細長状孔を挟んだ反対側に夫々細長状孔を連通形成してなるため、横架部材の上面が水路の縦断方向に向け一連の勾配を有して連続されると、路面上等から流入して上面を水路の縦断方向に沿って流下する雨水等の表面水と、水路の縦断方向とほぼ直交や適宜角度をなす方向に路面上等から上面へ流入する表面水、即ち流水方向が異なる表面水を、その指向方向が異なる各細長状孔によって効率的に速やかに取り込むことができ、排水効率を高め、表面水の流量が増加しても滞水等することなく効率よく排水できる。
又、表面水の細長状孔への落下、流入に際して、細長状孔周囲の上面に集積し、細長状孔を中心として渦を巻く表面水の回動方向と交差する位置に各細長状孔が位置し、細長状孔での集水と併せて細長状孔の形状抵抗により上記回動を抑制して速やか且つ効率よく表面水を排水できる。【０００９】  又、本発明の排水用構造物の水抜孔は、水路の横断方向に傾斜面となされた横架部材の上面の最低部近傍に穿設される細長状孔の少なくとも一端に、２個の細長状孔をほぼく字状又はほぼ逆く字状にして連通形成してなるため、上記と同様に、流水方向が異なる表面水を、その指向方向が異なる各細長状孔によって効率的に速やかに取り込むことができ、排水効率を高め、表面水の流量が増加しても滞水等することなく効率よく排水できる。
又、表面水の細長状孔への落下、流入に際しても、上記と同様に、細長状孔周囲の上面に集積し、細長状孔を中心として渦を巻く表面水の回動方向と交差する位置に各細長状孔が位置し、細長状孔での集水と併せて細長状孔の形状抵抗により上記回動を抑制して速やか且つ効率よく表面水を排水できる。【００１０】  又、本発明の排水用構造物の水抜孔は、一方の細長状孔の一部及び／又は他方の細長状孔の全部又は一部が上面から凹陥して閉塞されることで、その閉塞部上側が細長状孔の長さ方向に沿う溝部となされるため、溝部が細長状孔の集水作用を代替えして水路と直接連通してなる細長状孔の長さを長くすることなく、換言すれば、横架部材の上面の断面欠損、強度損失を極力抑えることができ、その強度維持に寄与することができる。【００１１】  又、本発明の排水用構造物の水抜孔は、一方の細長状孔及び／又は他方の細長状孔の上端縁の一部又は全体が段状をなすべく、上面から凹陥する凹段部がその上端外側に連設されてなるため、細長状孔の上面における開口度合を増大させることなく、その上縁で凹段部が集水域を広めると同時に、上面と細長状孔との間で段状を呈することで上面の表面水に対して漏斗作用を奏し、細長状孔内への表面水の流入、落下を促進せしめて高い排水効率を得ることができる。
更に、凹段部は上記溝部と同様に、横架部材の上面に対する断面欠損、強度損失が小さいため、その強度維持に寄与することができる。
【発明を実施するための最良の形態】
【００１２】  以下、図面を参照しながら本発明の実施の形態について説明する。
まず、本発明の水抜孔の詳細な説明に先立ち、排水用構造物を含めその概要について説明する。
図１（イ）乃至（ハ）は夫々本発明の水抜孔を有する排水用構造物の例を示し、図１（イ）は暗渠型ブロック１の内部の水路４（断面方形の場合を破線で示す）に臨む上部の横架部材６に水抜孔５が穿設され、図１（ロ）は門型ブロック２の内部の水路４に臨む上部の横架部材６（下面が湾曲する場合を破線で示す）に水抜孔５が穿設され、図１（ハ）は溝形状の水路４の上部を閉塞する蓋３（下面が凹状の場合を蓋３の右半部に破線で示す）を横架部材６となして該横架部材６に水抜孔５が穿設され、夫々横架部材６の上面６ａと水路４とが水抜孔５によって連通されている。
又、図１（イ）乃至（ハ）においては、横架部材６の上面６ａが水路４の横断方向に位置する両端から上記横断方向に沿ってほぼ中央部に向け斜降状をなす傾斜面となされ、その最低部となる上面６ａのほぼ中央部に水抜孔５が穿設された例を示しているが、これに限らず、横架部材６の上面６ａが水路４の横断方向に種々の形態の傾斜面となされ、その最低部近傍に水抜孔５が穿設される。
要は、必ずしも上記に限らず、種々の排水用構造物にあって、その下位に設けられる水路４に臨む横架部材６の上面６ａと上記水路４を連通すべく、水路４の横断方向に傾斜面となされた横架部材６の上面６ａの最低部近傍に位置して、横架部材６に水抜孔５が穿設されるものである。
尚、図１（イ）乃至（ハ）における水抜孔５の形状や配列は一例であって、これに限定されるものではなく、これらに関しては後述する。【００１３】  次に本発明の水抜孔について具体的に説明する。
図２（イ）乃至（ハ）は本発明の水抜孔の一実施形態を示し、水抜孔５は、図２（イ）及び（ロ）に示すように、水路４の縦断方向（又は横断方向）にほぼ沿い横架部材６の上面６ａの最低部近傍に位置する細長状孔５ａに屈折状、具体的には細長状孔５ａにほぼ直交して連通する細長状孔５ａ′が、前記細長状孔５ａの長手方向の異なる位置、詳しくは細長状孔５ａの中央部から互いに異なる長手方向末端側に離隔した位置で細長状孔５ａを挟んで反対側に夫々設けられ、排水効率の面から各細長状孔５ａ′と細長状孔５ａとの連通部が相対向しないようになされるとともに、細長状孔５ａ′は細長状孔５ａの長手方向中央部寄りに位置されている。
即ち、水抜孔５の細長状孔５ａが水路４の縦断方向（又は横断方向）にほぼ沿う方向を指向し、溝部５ｂが水路４の横断方向（又は縦断方向）にほぼ沿う方向を指向している。【００１４】  図３（イ）乃至（ニ）は本発明の水抜孔の他の実施形態を示し、本実施形態の水抜孔５は、上記図２に示す水抜孔５の細長状孔５ａ′が、その全部が上面６ａから凹陥して閉塞されることでその閉塞部上側が細長状孔５ａ′の長さ方向に沿う溝部５ｂとなされ、各溝部底面５ｃが夫々細長状孔５ａに向かって斜降状の傾斜面となされている。加えて、該溝部底面５ｃは、排水効率の面から細長状孔５ａとの連通側が、急斜面５ｃ′となされて二段勾配を有している。
本実施形態の水抜孔５は本来の排水孔をなす細長状孔５ａに導水用の溝部５ｂ（細長状孔５ａ′）が連通されることにより、横架部材６の上面６ａでの開口面積を広くしてその集水及び排水性が良好な状態に確保されるとともに、水抜孔５の穿設に伴う横架部材６の上面６ａの断面欠損、強度損失を少なく（水抜孔５全体が水路４に連通する孔状でないため）して十分な強度維持が図られている。【００１５】  次に、上記図２及び図３に示す水抜孔５の作用を図２（ハ）及び図３（ハ）を参照しながら説明する。
上記排水用構造物において、横架部材６の上面６ａが水路４の縦断方向に勾配を付されると、路面上等から前記上面６ａに流入、集積されて上面６ａを水路４の縦断方向に沿って流下する雨水等の表面水が、主として水路４の横断方向で上記表面水の流下方向と交差する水抜孔５の細長状孔５ａ′又は溝部５ｂ（細長状孔５ａが水路４の横断方向に沿う場合は細長状孔５ａ）から水路４に流下されるとともに、上記縦断方向とほぼ直交又は適宜角度をなす方向に上面６ａへ流入する表面水が、主として上記縦断方向にほぼ沿う方向を指向することで上記表面水の流入方向と交差する水抜孔５の細長状孔５ａ（細長状孔５ａが水路４の横断方向に沿う場合は細長状孔５ａ′又は溝部５ｂ）から水路４に流下、排水される。
以下、主として細長状孔５ａが水路４の縦断方向に沿う場合を説明するが、細長状孔５ａが水路４の横断方向に沿う場合もほぼ同様な排水が行われる。
又、細長状孔５ａへの落下、流入に際して細長状孔５ａの周囲の上面６ａに集積し、細長状孔５ａの中央部を中心として渦を巻く表面水Ｗの回動方向と交差する位置に細長状孔５ａと両細長状孔５ａ′又は溝部５ｂとが位置し、細長状孔５ａでの表面水Ｗの集水、流入と併せて、上記両細長状孔５ａ′又は溝部５ｂの形状抵抗により細長状孔５ａの両側での上記回動を抑制するとともに、両細長状孔５ａ′においても表面水Ｗを流入、又は両溝部５ｂにおいても表面水Ｗを細長状孔５ａに導き排水する。【００１６】  ここで、たとえ表面水Ｗが細長状孔５ａ′又は溝部５ｂを横切って水路４の縦断方向側へ越流しても、越流水は細長状孔５ａ′又は溝部５ｂの形状抵抗によりその流速が減じられ、横架部材６の中央部に向かって斜降状をなす上面６ａに導かれ越流側の上記縦断方向で細長状孔５ａ′又は溝部５ｂに連設せる細長状孔５ａに逐次流入する。又、表面水Ｗが細長状孔５ａを横切って水路４の横断方向側へ越流しても、越流水は横架部材６の端部に向かって上向き傾斜状となる上面６ａに接しその流速が減じられて隣設せる細長状孔５ａ′に流入、又は溝部５ｂに導かれ細長状孔５ａに逐次流入する。
加えて、各細長状孔５ａ′又は溝部５ｂと細長状孔５ａとの連通部が夫々離隔して相対向しないようになされていることから、各細長状孔５ａ′の細長状孔５ａとの連通部における表面水Ｗの流入が別々に行われたり、各溝部５ｂによって導水されその両側から細長状孔５ａに向かって流下する表面水Ｗ相互が細長状孔５ａへの流入時に互いに接触、合流することなく長手方向の異なる位置から夫々別々に細長状孔５ａへ流入することで、流入に際する抵抗、損失を減衰することができる。
以上のようにして、上面６ａ上の表面水は水抜孔５に導かれて水路４に速やかに流下するようなされ、上面６ａでの排水効率の向上が図られている。【００１７】  図４（イ）及び（ロ）は本発明の水抜孔の他の実施形態を示し、本実施形態の水抜孔５は、水路４の縦断方向（又は横断方向）にほぼ沿い上面６ａの最低部近傍に位置した細長状孔５ａにほぼ直交する細長状孔５′が、細長状孔５ａの長さ方向の同一位置（ほぼ中央部）で対称的に連通されて平面視ほぼ十字状となされている。
又、図５（イ）及び（ロ）に示す水抜孔５は、上記図４に示す水抜孔５の細長状孔５′が、その全部が上面６ａから凹陥して閉塞されることでその閉塞部上側が細長状孔５ａ′の長さ方向に沿う溝部５ｂとなされるとともに、溝部底面５ｃが細長状孔５ａに向かって斜降状の傾斜面となされている。該水抜孔５も本来の排水孔をなす細長状孔５ａに導水用の溝部５ｂ（細長状孔５ａ′）が連通されることにより、横架部材６の上面６ａでの開口面積を広くしてその集水及び排水性が良好な状態に確保されるとともに、水抜孔５の穿設に伴う横架部材６の上面６ａの断面欠損、強度損失を少なく（水抜孔５全体が水路４に連通する孔状でないため）して十分な強度維持が図られている。【００１８】  しかして、図４及び図５に示す水抜孔５にあっても、上記実施形態と同様に、上面６ａを水路４の縦断方向に沿って流下する雨水等の表面水が、主として上記表面水の流下方向と交差する水抜孔５の細長状孔５ａ′又は溝部５ｂ（細長状孔５ａが水路４の横断方向に沿う場合は細長状孔５ａ）から水路４に流下されるとともに、上記縦断方向とほぼ直交又は適宜角度をなす方向に上面６ａへ流入する表面水が、主として水抜孔５の細長状孔５ａ（細長状孔５ａが水路４の横断方向に沿う場合は細長状孔５ａ′又は溝部５ｂ）から水路４に流下、排水される。
又、細長状孔５ａへの落下、流入に際して渦巻き状を呈する表面水が、その回動方向との交差位置ある細長状孔５ａや細長状孔５ａ′に流入、或いは、両溝部５ｂに流入し細長状孔５ａに導かれて水路４に排水されるとともに、前記渦巻き状を呈する表面水がたとえ溝部５ｂ（又は細長状孔５ａ，５ａ′）を横切って越流しても、該越流水は傾斜する上面６ａに導かれて上記実施形態と同様に細長状孔５ａ（５ａ′）から水路４に速やかに流下され、排水効率の向上が図られている。【００１９】  図６（イ）乃至（ハ）は本発明の水抜孔の他の実施形態を示し、本実施形態の水抜孔５は、水路４の縦断方向にほぼ沿い上面６ａの最低部近傍に位置した細長状孔５ａの一末端に２個の細長状孔５ａ′がほぼ逆く字状に連通され、各細長状孔５ａ′はその末端からその長さ方向に沿い上記連通部の手前まで上面６ａから凹陥して閉塞されることでその閉塞部上側が細長状孔５ａ′の長さ方向に沿う溝部５ｂとなされ、、溝部５ｂの終端から上記連通部までが孔となされ、水抜孔５全体が平面視ほぼ三叉状（Ｙ字状）となされている。
上記溝部５ｂは、図６（イ）及び（ハ）示す如く、その溝部底面５ｃが細長状孔５ａに向かって斜降状の傾斜面となされている。
該水抜孔５も本来の排水孔をなす細長状孔５ａに、導水用の溝部５ｂを形成した細長状孔５ａ′が連通されることにより、横架部材６の上面６ａでの開口面積を広くしてその集水及び排水性が良好な状態に確保されるとともに、水抜孔５の穿設に伴う横架部材６の上面６ａの断面欠損、強度損失を少なくし（水抜孔５全体が水路４に連通する孔状でないため）、特に三叉状の交差部に残存する上面６ａの隅部角度を鈍角として該所のカケ等破損を未然に防止することで、十分な強度維持を図っている。
又、この場合、水抜孔５の細長状孔５ａが水路４の縦断方向にほぼ沿う方向を指向し、溝部５ｂを有する細長状孔５ａ′が上記縦断方向と角度をなして交差する方向を指向しているが、細長状孔５ａが水路４の横断方向等に指向されてもよい。【００２０】  本実施形態の水抜孔５にあっても、上記各実施形態と同様に、上面６ａを水路４の縦断方向に沿って流下する表面水が、主として縦断方向と交差方向を指向する溝部５ｂを有する細長状孔５ａ′から水路４に流下、排水されるとともに、上記縦断方向と直交若しくは適宜角度をなして斜めに上面６ａへ流入する表面水が、主として上記縦断方向にほぼ沿う方向を指向する細長状孔５ａから水路４に流下、排水される。
又、図６（イ）に示す如く、その落下、流入に際して渦巻き状を呈する表面水Ｗが、その回動方向との交差位置ある細長状孔５ａに流入、或いは、溝部５ｂを有する両細長状孔５ａ′に流入し細長状孔５ａ側に導かれて水路４に排水される。ここで、三叉状を呈する細長状孔５ａと溝部５ｂを有する両細長状孔５ａ′の形状抵抗によって上記表面水Ｗの回転を抑制することができて、上記排水を助勢する作用を奏する。
而して、前記渦巻き状を呈する表面水Ｗがたとえ溝部５ｂを有する一細長状孔５ａ′又は一細長状孔５ａを横切って越流しても、該越流水はその回転方向に一定角度をもって三叉状に配された細長状孔５ａ又は５ａ′に順次接し、流速が減じられて逐次溝部５ｂを有する細長状孔５ａ′及び細長状孔５ａに流下され、上面６ａでの排水効率の向上が図られている。【００２１】  又、図６（イ）乃至（ハ）に示す水抜孔５の変形例として、例えば図６（ニ）に示す如く、細長状孔５ａの長さ方向一端に上記と同様にして溝部５ｂが設けられ、その溝部底面５ｃが細長状孔５ａに向かって斜降状の傾斜面となされるとともに、細長状孔５ａ′側の溝部５ｂの終端側にある孔が大きくなされてもよく、又、細長状孔５ａ，５ａ′に全く溝部５ｂが設けられずに孔のままとなされてもよいし、図６（ホ）及び（ヘ）に示す如く、２つの細長状孔５ａ′の交差角度を鋭角になすとともに、細長状孔５ａ，５ａ′に溝部５ｂを設けずに孔のままとし、細長状孔５ａ及び／又は細長状孔５ａ′の上端縁の長さ方向末端部に凹段部５ｆ（一細長状孔５ａ′部は破線で示す）が設けられてもよい。
上記凹段部５ｆは、平面視略円形状に凹陥するようになされているが、平面視が他の形状でもよい。該凹段部５ｆは、細長状孔５ａ，５ａ′の上面６ａにおける開口度合を増大させることなく、その上縁で集水域を広めると同時に、上面６ａと細長状孔５ａ，５ａ′との間で段状を呈することで上面６ａの表面水に対して漏斗作用をもって水抜孔５（細長状孔５ａ，５ａ′）へ効率よく流入、落下させることができるとともに、上記溝部５ｂと同様に、横架部材６の上面６ａに対する断面欠損、強度損失が小さいために、その強度維持に寄与できる利点がある。
尚、三叉状（Ｙ字状）をなす交差角度や、細長状孔５ａ，５ａ′、溝部５ｂの長さは、適宜に変更可能であることは無論である。【００２２】  尚又、本発明の水抜孔は上記実施形態に限定されず、本発明の意図する範囲内で種々の設計変更が可能である。
例えば、水抜孔５が、細長状孔５ａに対して交差するとともに、細長状孔５ａを挟んだ反対側に細長状孔５ａ′が設けられる場合、図７（イ）に示すように、各細長状孔５ａ′が細長状孔５ａに向かって漸次幅広状となされたり（各細長状孔５ａ′は全体又は一部を溝部５ｂとしてもよい）、図７（ロ）に示すように、各細長状孔５ａ′全体を溝部５ｂとし、細長状孔５ａを挟んで設けられる各溝部５ｂ（細長状孔５ａ′）の位置が、図３に示すものと左右反転状に入れ替わるとともに、相互の離隔間隔が広くなされてもよい（各細長状孔５ａ′はその末端等の一部を溝部５ｂに形成したり、全体を溝部５ｂに形成せず孔のままでもよい）。
又、図８（イ）に示すように、各細長状孔５ａ′の一部（末端）を溝部５ｂとし、一つの細長状孔５ａに連通する細長状孔５ａ′の数が増えたり、図８（ロ）に示すように、各細長状孔５ａ，５ａ′の一部を溝部５ｂとし、細長状孔５ａを挟んで細長状孔５ａ′が非対称に連通されたり、或いは図９（イ）乃至（ハ）及び図１０（ロ）乃至（ニ）に示すように、細長状孔５ａ′は細長状孔５ａに対して斜め方向に交差して連通されてもよい。【００２３】  又、水抜孔５は、上記では細長状孔５ａの一端に、２個の細長状孔５ａ′をほぼ逆く字状にして連通形成してなるが、図１０（イ）に示すように、細長状孔５ａの両端に、２個の細長状孔５ａ′をほぼく字状、逆く字状にして連通形成してもよい。
又、水抜孔５を構成する細長状孔５ａ，５ａ′の長さや幅は、夫々同じであってもよいし、適宜異なる等適宜寸法となされればよく、上面６ａでの開口幅（細長状孔５ａ，５ａ′の上幅）も適宜に設定されればよいが、該幅を９〜１５ｍｍ度に設定すると、車いすのキャスター、白杖の先端、ハイヒール等が落ち込まず、安全上好ましい。
更に、溝部５ｂは一方の細長状孔５ａの一部（適宜箇所）及び／又は他方の細長状孔５ａ′の全部又は一部（適宜箇所）に形成されてもよく、特に溝部５ｂが細長状孔５ａ，５ａ′の一部に形成される場合、図６（ニ）、図８（イ）、（ロ）、図９（ハ）及び図１０（ロ）に示すように細長状孔５ａ，５ａ′の端部に形成されると溝部５ｂを介して表面水を細長状孔５ａ，５ａ′に導いて排水性を高めることができ好ましいが、図１０（ハ）及び（ニ）に示すように細長状孔５ａ，５ａ′の長さ方向の中途部に横架部材６の補強部材として形成されてもよい。【００２４】  更に又、上記溝部５ｂは、図３（ニ）に示す如き断面ほぼＵ形状の他、断面凹形状、台形状、Ｖ形状等、上面６ａから凹陥する適宜断面形状となされればよいし、その長さも適宜長さとなされればよいし、又、その溝部底面５ｃも図５（ロ）に示すように、細長状孔５ａに向かって斜降状の一様な傾斜面となされてもよいし、図３（ロ）に示すように、細長状孔５ａに向かって斜降状をなす緩傾斜面が細長状孔５ａの手前で急斜面５ｃ′となされてもよく、特にこの図３（ロ）の場合には溝部５ｂ内の流水を急斜面５ｃ′によってより効率よく確実に細長状孔５ａに導くことができ好ましい。尚、底面５ｃは必ずしも傾斜面でなくともよい。
又、細長状孔５ａ，５ａ′の上端縁で上面６ａから凹陥して段状に連設される凹段部５ｆについても、その平面形状及び連設位置も適宜であればよく、例えば図９（イ）及び図１０（イ）に示す如く細長状孔５ａ，５ａ′の外周に沿いその全体を囲むようになされたり、図１１（イ）及び（ロ）に示す如く細長状孔５ａ，５ａ′に沿うとともにその末端で種々の平面視形状として適宜に連設できる。尚、図６（ホ）、図７（イ）、（ロ）においては細長状孔５ａ，５ａ′の端部に連設する凹段部５ｆを実線又は破線で示す。
尚又、水抜孔５の断面形状を示す図２乃至図５の各（ロ）、図６（ロ）、（ハ）、（ヘ）における横架部材６の下面形状は、水路４が円形又は方形である場合を例示しているが、これに限定されず、かかる下面形状は種々排水用構造物の排水断面に応じるとともに、水抜孔５も該下面形状に相応して水路４と連通すればよい。【００２５】  又、水抜孔５は、その細長状孔５ａを水路４の縦断方向にほぼ沿うようにして横架部材６の上面６ａに穿設されるのが大なる排水効果を発揮して好ましいが、細長状孔５ａを上記縦断方向と直交（横断方向）又は縦断方向と斜めをなして交差する方向にほぼ沿うようにして穿設されてもよく、いずれにしても細長状孔５ａ，５ａ′（溝部５ｂ）の指向する方向が異なるようになる。
又、排水構造物における単独または複数連続する横架部材６の上面６ａでの水抜孔５の配列については、図１（イ）及び（ロ）に示すように同形の十字状の水抜孔５が同方向を向いて配列されたり、図１（ハ）に示すように隣接する同形のＹ形状の水抜孔５が対称状に配列されたり、或いは図１２（イ）に示すように、十字状とＹ字状の水抜孔５が交互に配列されるとともに、十字状の水抜孔を挟んで隣接するＹ字状の水抜孔が対称状となされたり、図１２（ロ）に示すように同形のＹ字状の水抜孔５が同方向を向いて配列されたり、図１２（ハ）及び（ニ）に示すように十字状又はＹ字状の水抜孔がそのほぼ中心を軸に適宜回転しながら配列される等、同種又は異種のものが種々に配列されればよく、上述の点は極一部を例示したもので特に配列を限定するものではない。
尚、図１（イ）乃至（ハ）、図１２（イ）及び（ロ）の場合には、細長状孔５ａを水路４の縦断方向にほぼ沿うようにして水抜孔５が配列されている。
【図面の簡単な説明】
【００２６】
【図１】  （イ）乃至（ハ）は夫々本発明の水抜孔を有する排水用構造物の例を示す斜視図。
【図２】  本発明の水抜孔の一実施形態を示し、（イ）は平面図、（ロ）は（イ）のＡ−Ａ断面図、（ハ）は表面水の回動状態と集水状態を示す説明図。
【図３】  本発明の水抜孔の他の実施形態を示し、（イ）は平面図、（ロ）は（イ）のＢ−Ｂ断面図、（ハ）は表面水の回動状態と集水状態を示す説明図、（ニ）は（イ）のＣ−Ｃ拡大端面図。
【図４】  本発明の水抜孔の他の実施形態を示し、（イ）は平面図、（ロ）は（イ）のＤ−Ｄ断面図。
【図５】  本発明の水抜孔の他の実施形態を示し、（イ）は平面図、（ロ）は（イ）のＥ−Ｅ断面図。
【図６】  本発明の水抜孔の他の実施形態を示し、（イ）は表面水の回動状態と集水状態とともに示す平面図、（ロ）は（イ）のＦ−Ｆ断面図、（ハ）は（イ）のＧ−Ｇ断面図、（ニ）及び（ホ）は夫々水抜孔の他の例を示す平面図、（ヘ）は（ホ）のＨ−Ｈ断面図。
【図７】  （イ）及び（ロ）は夫々本発明の水抜孔の他の実施形態を示す平面図。
【図８】  （イ）及び（ロ）は夫々本発明の水抜孔の他の実施形態を示す平面図。
【図９】  （イ）乃至（ハ）は夫々本発明の水抜孔の他の実施形態を示す平面図。
【図１０】  （イ）乃至（ニ）は夫々本発明の水抜孔の他の実施形態を示す平面図。
【図１１】  （イ）及び（ロ）は夫々本発明の水抜孔の他の実施形態を示す平面図。
【図１２】  （イ）乃至（ニ）は夫々本発明の水抜孔の配列状態の例を示す平面図。
【符号の説明】
【００２７】１  暗渠型ブロック
２  門型ブロック
３  蓋
４  水路
５  水抜孔
５ａ，５ａ′  細長状孔
５ｂ  溝部
５ｃ  溝部底面
５ｃ′  急斜面
５ｆ  凹段部
６  横架部材
６ａ  上面
【図１】
2007092505.tif 000003
【図２】
2007092505.tif 000004
【図３】
2007092505.tif 000005
【図４】
2007092505.tif 000006
【図５】
2007092505.tif 000007
【図６】
2007092505.tif 000008
【図７】
2007092505.tif 000009
【図８】
2007092505.tif 000010
【図９】
2007092505.tif 000011
【図１０】
2007092505.tif 000012
【図１１】
2007092505.tif 000013
【図１２】
2007092505.tif 000014